(57)【特許請求の範囲】
【請求項１】
可動接点支持体が内部に配置されたケースを有し、そのケース（１０）が、前面（１１）から接近可能な接続端子を備えた正面部（１０ａ）、および接点支持体に接続され、前面から目に見える、かつ接近できる可動押しボタン（１６）を備えた電気機械接触器において、
接触器ケース（１０）は、前面（１１）に、かつ可動押しボタン（１６）付近に、押しボタンに結合可能な付加ユニットが固定できる止め具（１７，１９）を備えること、
カバー（２０）が、可動押しボタン（１６）を覆い隠すように、ケース正面部（１０ａ）に着脱自在に組み立てられており、止め具（１７，１９）と係合する組立構造（２３）によって、この正面部に取り付けられていること、
カバー（２０）が、不透明プラスチックから成り、接触器が動作中であるか休止中であるかを確認できるように可動押しボタン（１６）の前に設けられた透明部分（２１）を有すること、
カバー（２０）の凹部（２２）に、シール手段（２６）のために、空間（２５）が設けられていること、
を特徴とする電気機械接触器。
【請求項２】
カバー（２０）が、凹部（２２）を有する平板であり、組立構造（２３）は、平板が止め具（１７，１９）上をスライドさせはめ込みができるように、凹部の左右に施されたガイド溝（２３）であることを特徴とする請求項１に記載の接触器。
【請求項３】
ガイド溝（２３）が、接触器ケース（１０）の上下方向に配置されており、その端部に少なくとも一つの当接用段部（２４）が設けられていることを特徴とする請求項２に記載の接触器。
【請求項４】
カバー（２０）の組立構造（２３）が、カバーを接触器ケース（１０）の前面（１１）に、クリアランスにより、カバー（２０）の裏面（２０ａ）がケース前面に密着することを特徴とする請求項１に記載の接触器。
【請求項５】
接触器ケース（１０）が、その前面（１１）から接近できる端子（１３）を有し、カバー（２０）は、その幅がケースの幅とほぼ等しく、ケース（１０）に取り付けられた際にも、端子へ接近できる高さを有し、その長辺に、端子（１３）に隣接した横断面（２７）を形成することを特徴とする請求項１に記載の接触器。
【請求項６】
可動接点支持体が内部に配置されたケースを有し、そのケース（１０）が、前面（１１）と該前面から接近可能な接続端子を備えた正面部（１０ａ）、および接点支持体に接続され、前面から目に見える、かつ接近できる可動押しボタン（１６）を備えた電気機械接触器において、
接触器ケース（１０）は、前面（１１）に、かつ可動押しボタン（１６）の近くに、止め具（１７，１９）を備えていること、
カバー（２０）が、可動押しボタン（１６）を覆い隠すように、ケース正面部（１０ａ）に着脱自在に組み立てられており、ケースの上下方向にスライドすることで、止め具（１７，１９）と係合する組立構造（２３）によってこの正面部に取り付けられていること、
カバー（２０）が、不透明プラスチックから成り、接触器が動作中であるか休止中であるかを確認できるように可動押しボタン（１６）の前に設けられた透明部分（２１）を有すること、
カバー（２０）の凹部（２２）に、シール手段（２６）のために、空間（２５）が設けられていること、
を特徴とする電気機械接触器。
【発明の詳細な説明】
【０００１】
本発明は、可動接点支持体を内部に配置されたケースを有する電気機械接触器に関し、該ケースは、前面から接近可能な接続端子を備えた正面部、および接点支持体に接続され、前面から目に見える、かつ接近できる可動押しボタンを有する。
【０００２】
このような接触器は、一般に低電圧電荷の制御に使用される。通常、このような接触器のケース前面に、制御システムにおいて使用できる補助的な通信機能またはその他の機能を有する電気機械付加ユニットを固定できるように設備する。付加ユニットは、補助接点、および補助接点を操作するために、接触器ケースの押しボタンと連動するように設けられた可動部材を有する。付加ユニットは、一般的にはケース前面に設けられた留め金構造により、接触器ケースに着脱自在に取り付けられる。押しボタンが、前面から突出しているか、収納されているかにより、接触器の状態を目で見えるようになるが、一方、押しボタンは、接触器の可動接点支持体が正常に機能しているかどうか手動で確認するためにも用いられる。しかし、このテストでは、接触器が送電中に、電荷を切り換えるので、危険を伴う可能性がある。
【０００３】
本発明は、正面付加ユニットを固定するために、接触器ケースの前面に施された構造、または同種の構造を利用して、接触器の状態が見えるままで、押しボタンを手動で操作することを不可能とすることを目的とする。
【０００４】
本発明によれば、接触器ケースは前面に、かつ可動押しボタン付近に、押しボタンに接合可能な付加ユニットが固定できる、またはケース上下方向に取り付けできる、はめ込み方式、またはクリップ留め方式の止め具を備えており、カバーは可動押しボタンを覆い隠すように、ケース正面部に着脱自在に組み立てられており、止め具と係合する組立構造によって、ケース前部に取り付けられている。従って、カバーの取り付けには、付加ユニットを固定するために設けられた、既存の止め具を利用し、および／または付加ユニットと同様に、分かりやすく取り付けることを可能とする。
【０００５】
望ましくは、カバーは押しボタン前部に透明部を有し、また左右に、接触器上下方向において、止め具上に係合して、スライドするガイド溝を備えた凹部を有する平板から構成されてもよく、溝の端部に設けられた当接用段部は、好ましくは、特に止め具上に設けられた当接部と係合する。
【０００６】
好ましくは、カバーの幅がケースの幅とほぼ等しく、カバーがケースに取り付けられた状態で、端子へ接近可能な高さを有し、長辺に、端子に隣接した横断面が形成され、配線が容易となっている。
【０００７】
以下、添付の図を参照しながら、本発明の実施態様について説明するが、本発明はこれによって制限されるものではない。
【０００８】
図示された接触器は、正面部１０ａと後部１０ｂを有するケース１０を含む。
【０００９】
後部１０ｂは、接触器を支持体に固定できるように構成されており、正面部１０ａは、端子１３への接近口１２を備えた前面１１を有する。本例において、これらの端子は操作または制御機能を有し、電力端子である接触器の他の端子１４は、端子１３の後部に配置されている。もちろん、他のあらゆる端子の配置が考案されてもよく、特に端子１３が電力端子であってもよい。
【００１０】
前面１１には、開口部１５を備え、これを通してケース１０内に配置され、電磁石からの外力に応え前面１１と垂直に移動できる図示されていない可動接点ホルダーと一体化した、または接続された可動押しボタン１６の固定されていない端部１６ａが突出している。押しボタンの端部１６ａは、接触器の休止時には、突出している（図１に示された状態）が、接触器の動作中には、収納されている。補助接点の付加ユニット３０が、以下で図３を参照しながら説明される手段により接触器に取り付けられた場合、押しボタンは、付加部品を有する接点ホルダー部材に対して、連動部材の役割を担う。さらに、押しボタンは、押しボタンを押すことで、使用者が接触器が正常に機能しているかどうかを確認できるようにする試験機能を有する。
【００１１】
ケース１０の前面１１上の突出部には、まず溝１８の外側に向けて施された２つの固定つめ１７（図１の左右）、また、固定つめに隣接し、外側に向けて溝１９ａが施されたガイド用突出部１９が形成されている。溝１８および１９ａにより、付加ユニット３０、またはカバー２０が、接触器の上下方向に（図３で矢印に示された方向）接触器前面１１と平行にスライドできるように構成されている。付加ユニットまたはカバーは、スライドすることで、ここでははめ込み方式により、固定つめ１７および突出部１９に固定できるようになっている。さらに、つめ１７は、付加ユニットまたはカバーに対して、ブロック機能も有している。
【００１２】
カバー２０は、組み立てられた状態（図２）で、押しボタン１６の前端部１６ａの前に位置する窓などの中央透明部２１を有し、その状態が見えるので、接触器が動作中であるか休止中であるかを確認できように構成され、不透明である絶縁プラスチックから成るほぼ長方形の平板である。同時に、カバーが、使用者にとって、試験作業を不可能とすることが理解されるであろう。
【００１３】
カバー２０は、特に溝２３のクリアランスにより、接触器の前面１１にはめ込む際に、前面１１に押し当て、この面に密接に維持される裏面２０ａを有する。カバー２０は、要素１７，１９上をスライドするためのガイド溝２３を左右に備えた凹部２２を有し、また溝の先端に、つめ１７と係合する当接用段部２４を有する。溝２３は、溝１９ａと係合する第一部分２３ａ、および（溝１９ａよりも間隔の狭い）溝１８と係合する、第一部分２３ａよりも細い第２部分２３ｂを有する。したがって、カバーは、非常に容易に受動付加部品と同様に差し込んで固定できる。さらに、凹部２２の下部に向け、押しボタンをブロックするために、シール手段２６のために、空間２５が設けられている。カバー２０上部には、端子１３への接近口１２での配線を簡易化する横断平面２７が形成されている。
【００１４】
付加ユニット３０は、ケース１０の前面１１に対し垂直に可動で、押しボタン１６の端部１６ａに結合可能な係合部３２を備えた裏面３１を有する。ユニット３０は、前面１１に取り付けられる（図３参照）。付加ユニット３０は、つめ１７の溝１８、および突出部１９の溝１９ａと係合することのできるガイド溝３３を有する。図３に矢印で示すように、段部３４は、はめ込み行程の終点で、つめ１７に当接するように、溝３３の端に設けられている。もちろん、接触器のケースに付加ユニットをはめ込みまたはクリップ留めするために、他の手段が設備される場合には、該手段により、カバーは、ケース１０の前部に着脱自在に固定できる。
【図面の簡単な説明】
【図１】  本発明による接触器の正面カバーが取り付けられていない状態を示す斜視図。
【図２】  同様の図で、接触器ケースにカバーが取り付けられた状態を示す図。
【図３】  接触器正面部と取り付け前の付加部品、またはカバーを示す略図。
【図４】  接触器正面部、およびカバーの上方からの分解組み立て図。
【図５】  カバーをつけた接触器前部の上方からの斜視図。
【図６】  カバーの斜視図。
【図１】
0004454903.tif 000002
【図２】
0004454903.tif 000003
【図６】
0004454903.tif 000004
【図３】
0004454903.tif 000005
【図４】
0004454903.tif 000006
【図５】
0004454903.tif 000007